(57)【特許請求の範囲】
【請求項１】
緩衝体天面となる天面板に収納物品に対応した開口を有するとともに前記天面板の周囲の側面板を折り倒して裾広がり状に傾斜した緩衝体外周面を形成する主ブランクの前記開口に、底面板とこの底面板の周囲に位置した側面板とからなる収納凹部を形成する複数の副ブランクを組み付けて、該開口に、天面板裏面方向に凹陥して底面板側が狭くなるように傾斜した凹部内周面を備える収納凹部を設け、天面板下の空間に下位緩衝体の天面板側が入るようにスタッキング可能にした板紙製緩衝体において、
前記緩衝体外周面の側面板と収納凹部の側面板との間に、前記天面板から下方に離間した位置にしてスタッキング時の下位緩衝体の天面板を受けて下位緩衝体の食い込みを防止する食い込み防止手段を配置し、該食い込み防止手段は、前記緩衝体外周面の側面板と収納凹部の側面板とが相対する方向に直交する方向での断面形状が略Ｌ字状に設けられていることを特徴とする板紙製緩衝体。
【発明の詳細な説明】
【０００１】
【発明の属する技術分野】
本発明は板紙製緩衝体に関するものである。
【０００２】
【従来の技術】
従来から電気製品に限らず各種の物品を梱包して輸送する場合などに発泡スチロール製の緩衝体が使用されてきたが、ゴミとしての発泡スチロール材の増加による環境破壊が問題視されるようになってきたことから、緩衝体には素材を発泡スチロールから紙に代えたものが多く用いられるようになってきており、紙を素材とした緩衝体には短繊維化したり細片化した紙材を固めたものや段ボールや厚紙などからなる板紙を組んでなるものがある。
【０００３】
上述した板紙からなる緩衝体において基本的な構造のものを例示すれば、図９に示されているように、一枚のブランクａの四方を側面板ｂを脚として折り曲げて外箱ｃに収める形状とし、収納物品ｄの出し入れ側となる天面板ｅの所要箇所にクロス状に切り込みを入れ、この切り込みにより形成される四枚の舌片ｆそれぞれを折り曲げることで、前記収納物品ｄの形状に対応した開口ｇを形成するとともに、それぞれ折り曲げられた舌片ｆによって収納物品ｄの移動を抑えて、収納物品差し入れ方向に奥行のある収納凹部ｈを前記開口ｇに連続するようにしたものがある。
【０００４】
また、上述した一枚のブランクからなるものの他に、複数枚のブランクからなる緩衝体もある。図１０と図１１に示すように、一枚の主ブランクａは組み起こしにより緩衝体の基本骨格となるものであって、天面板ｅの四方に連接された側面板ｂを折り倒して裾広がり状に傾斜した緩衝体外周面とし、また、天面板ｅには上記開口ｇを設けている。そして、もう一つのブランクｉにあっては、収納物品ｄの移動を抑える複数枚の側面板ｊを底面板ｋの周辺から折り起こした形状にして、このブランクｉを前記開口ｇに対応させ、側面板ｊそれぞれの端部に位置する糊代片ｌを開口ｇの周辺に貼り合わせることで前記開口ｇに前記ブランクｉを組み付け、これによって開口ｇに、天面板裏面方向に凹陥して底面板ｋ側が狭くなるように傾斜した凹部内周面を備える収納凹部ｈを形成していた。
【０００５】
【発明が解決しようとする課題】
上述した紙材からなる緩衝体の内、短繊維化したり細片化した紙材を固めた緩衝体は使用中などにおいて紙粉が生じ易く、電気製品や精密機械などを収納物品とするときの緩衝体には適さないという欠点があるとともに、緩衝体自体の表面がザラ付いて色合いも灰色となっているため、収納物品の見栄えが低下するという問題がある。このような点から抄紙された紙材からなる段ボールや厚紙などの板材にて組まれた緩衝体が多く利用され、上述したように複数枚のブランクを組み合わせて収納凹部を備える構成の板紙製緩衝体も採用されるようになってきている。
【０００６】
また、上記板紙製緩衝体においては収納物品と組み合わせて外箱に収め入れるときにブランクから組み起こしていては効率的ではないため、予めブランクを組み起こして緩衝体外周面の隣り合う側面板同士も貼り合わせて立体物としておき、板紙製緩衝体として収納物品の梱包工程などに供給されている。
ところで、梱包ラインなどで使用する数多くの板紙製緩衝体をまとめた状態で扱い易く、また、多くの緩衝体が占める空間を小さく抑えておく必要があることから、この板紙製緩衝体にあってはスタッキングが行なえるようにしている。即ち、上述したように緩衝体外周面を裾広がり状に傾斜させるとともに、収納凹部の凹部内周面を底面板側に向けて狭くなるように傾斜させることで、天面板下における収納凹部周りの空間に下位緩衝体の天面板側が入るようにしており、緩衝体の積み重ね状態が安定的になるように図られている（図１１参照）。
【０００７】
しかしながら、このスタッキングを行なうことで天面板下の空間に下位緩衝体の天面板の部分が深く食い込むことがあり、上下の緩衝体を簡単には分離できなくなって商品梱包作業時にその板紙製緩衝体の取り扱いが煩雑になるという問題が生じている。
そこで本発明は上記課題を考慮してなれたもので、スタッキングを行なうに際して下位緩衝体の天面板部分が上位緩衝体の天面板下の空間部分に深く入り込まないようにすることを課題として、上下に重なり合う緩衝体同士の分離を容易にし、積み重ね状態にある緩衝体を一台ずつ取り出して梱包作業が適切に行なえるようにすることを目的とする。
【０００８】
【課題を解決するための手段】
本発明は上記課題を考慮してなされたもので、緩衝体天面となる天面板に収納物品に対応した開口を有するとともに前記天面板の周囲の側面板を折り倒して裾広がり状に傾斜した緩衝体外周面を形成する主ブランクの前記開口に、底面板とこの底面板の周囲に位置した側面板とからなる収納凹部を形成する複数の副ブランクを組み付けて、該開口に、天面板裏面方向に凹陥して底面板側が狭くなるように傾斜した凹部内周面を備える収納凹部を設け、天面板下の空間に下位緩衝体の天面板側が入るようにスタッキング可能にした板紙製緩衝体において、
前記緩衝体外周面の側面板と収納凹部の側面板との間に、前記天面板から下方に離間した位置にしてスタッキング時の下位緩衝体の天面板を受けて下位緩衝体の食い込みを防止する食い込み防止手段を配置し、該食い込み防止手段は、前記緩衝体外周面の側面板と収納凹部の側面板とが相対する方向に直交する方向での断面形状が略Ｌ字状に設けられていることを特徴とする板紙製緩衝体を提供して、上記課題を解消するものである。
【０００９】
【発明の実施の形態】
つぎに本発明を図１から図８に示す実施の形態に基づいて詳細に説明する。
図中１は板紙製緩衝体であって、天面側を開放して差し入れ口としている収納凹部を有し、この収納凹部に収納物品やその収納物品の一部を嵌め入れ、その状態で外箱などに収めることで、搬送時などでの前記収納物品の移動を抑えるとともに、外箱に対して外部から衝撃が加わってもこの板紙製緩衝体で衝撃を吸収して収納物品に伝わる衝撃を少なくするものである。
板紙製緩衝体１は、該板紙製緩衝体１の基本的骨格を形成する主ブランクＡと後述する収納凹部を形成する二枚の副ブランクＢ，Ｃとの三枚のブランクからなるものであり、重ね合わせ状態でプレス加工することで、この三枚のブランクそれぞれの面板が曲げ起こされた状態となって相互に組み合わされるとともに、後述するように所要位置でこの三枚のブランクが貼り合わされて一体となっている。
【００１０】
図５に示すように、プレス加工する以前の状態において前記主ブランクＡの上に一方の副ブランクＢが重ねられ、主ブランクＡの下にもう一つの副ブランクＣが重ねられ、この状態でプレス加工が行われる。図３に示されているように、主ブランクＡはこの板紙製緩衝体の天面となる天面板３を中央に配し、天面板３の各側辺に折り部４を介して側面板５が連接され、各側面板５が折り部４から折り倒されることで板紙製緩衝体１の外周面を形成している。
【００１１】
天面板３の長辺側に位置する側面板５それぞれにあっては、側辺それぞれに糊代片６が折り部４を介して連接され、主ブランクＡを組み起こした状態においては、この糊代片６が折り部４から折り曲げられて天面板３の短辺側に位置する側面板５に貼り合わせている。板紙製緩衝体１の外周面となる前記側面板５それぞれは天面板四周の折り部４の位置より下端がやや外方に位置していて、緩衝体外周面７が裾広がり状に傾斜するように設けられている。
【００１２】
天面板３の中央には収納物品の形状に対応してその収納物品全体や一部分を差し入れることができるように開口８が形成されており、その開口８の周辺上面に接着剤９が予め塗布されている。この接着剤９は、通常の状態では接着することがなく、上述したプレス加工時の圧や熱などの接着条件を加えることで接着力を呈するようにしたものであり、プレス加工時に開口８の周辺上面に重ねた副ブランクＢの後述する対応個所が貼り合わされている。
接着剤９は上記糊代片６にも塗布されていて、プレス加工時に前記糊代片６と側面板５とが組み起こしされて重ね合わされ、プレス加工時に接着力を呈した接着剤９にて貼り合わされている。
【００１３】
上記二つの内の一方の副ブランクＢは主ブランクＡの上記開口８に上方から組み付けられるもので、展開状態とした図２に示すように、それぞれ対向して折り起こしできる切り起こし片１０を有した二つの底面板１１と、この二つの底面板１１に亘るように略コ字状に形成され、折り部４を介してその底面板１１に連接している二つの側面板１２と、二つの底面板１１の対向方向に位置して折り部４を介して連接されている二つの側面板１３とからなるものである。
このように副ブランクＢでは四方に四つの側面板１２、１３を有していて、上記プレス加工時にこれらの側面板１２、１３が折り起こされながら上記主ブランクＡの天面板３における開口８に挿入され、前記側面板１２、１３の端辺に折り部４を介して連接されている糊代片１４それぞれが前記開口８の周辺上面に上記接着剤９により貼り合わされることで、この開口８に副ブランクＢが組付固定されている。
なお、副ブランクＢにおいては、側面版１２、１３が折り起こされるときに上記折り起こし片１０もＺ状に折り起こされるようにしている。この折り起こし片１０の側方は打抜きにより開口されていて、折り起こし片１０の起立によって上底形成用開口１５が連続するようにしている。即ち、後述する副ブランクＣの一部分を伏した状態の前記二つの折り起こし片１０に下方から当てがい、その状態で副ブランクＣの前記一部分を押し入れるようにすることで前記折り起こし片１０それぞれが折り起こされている。
【００１４】
板紙製緩衝体１では、上述したように主ブランクＡにおける天面板３の開口８に側面板１２、１３を折り起こして副ブランクＢを挿入し、副ブランクＢ側の上記糊代片１４を前記開口８の周辺に貼り合わせている。また、糊代片１４を貼り合わせてなる貼り合わせ部１６の四方にある天面板表出部１８それぞれには、組み起こしの際にプレス金型側から進み出るロッドを通すための金型用開口２０が設けられている。
【００１５】
図４は主ブランクＡに対して上記副ブランクＢとは反対側から組み付ける副ブランクＣを展開状態で示している。この副ブランクＣは、三枚のブランクＢ、Ａ、Ｃを重ねた状態で所要のプレス装置により組み起こす際、上記副ブランクＢの上底形成用開口１５に入って開口８側に臨む上底面板２１を中央に配している。そして、この上底面板２１の対向二辺に折り部４を介して連接した折り倒し片２２の倒し込みによって、この折り倒し片２２と上記折り起こし片１０とが重なり合っており、折り起こし片１０の先端が上底面板２１に重ね合わされている。
このように上記開口８に挿入されている副ブランクＢに対して逆方向から副ブランクＣが取り付けられ、上底形成用開口１５の上端に上底面板２１が位置するとともに、折り起こし片１０と折り倒し片２２とが重なっている状態で、開口８から副ブランクＢの挿入方向での奥行に段差を有した収納凹部２３が形成されている。
【００１６】
上述のようにして形成された収納凹部２３の側面板１２、１３それぞれは、その側面板１２、１３の下端が上端位置（折り部４の位置）より収納凹部２３の中心側に位置して若干傾斜していて、これによって収納凹部２３の凹部内周面１９の形状は開口８から底面板１１側にかけて狭くなるように傾斜した形状に形成されている。また、上記上底面板２１に連続する折り倒し片２２それぞれにおいて、その上端が先端の折り位置より上底面板２１の中心側に位置するように傾斜していて、この傾斜した折り倒し片２２に重なる折り起こし片１０も同様に傾斜している。
このように収納凹部２３で形成される収納空間は上方に開いた形状であり、二つの板紙製緩衝体１の収納凹部２３が上下に位置した場合に、上位の収納凹部２３を形成している凸形状部分が下位の収納凹部２３に開口８を通して進入できるようにしている。そして、上述したように板紙製緩衝体１の外周面を形成している側面板５が傾斜して、緩衝体外周面７の形状が裾開きしているものであるから、複数の板紙製緩衝体１を揃えて積み重ねたとき、天面板３下の空間に下位の板紙製緩衝体１の天面板３側が入るようにしてスタッキングされ、積み重ね状態を安定させるとともに、積み重ねた複数の板紙製緩衝体が占める空間が小さくなるようにしている。
【００１７】
上記副ブランクＣでは、図示されているように、上底面版２１の隅部それぞれから折り倒し片２２の対向方向に連続する折り起こし片２４とこの折り起こし片２４の先端に分離可能にして連続している分離面板２５とを有している。そして、各ブランクＢ、Ａ、Ｃに対しての組み起こしを伴うブレス加工時に、前記折り起こし片２４から分離面板２５を分離させるようにしている。前記折り起こし片２４にあっては折り起こされて、さらにその先端部２６が曲りながら上記貼り合わせ部１６における上記糊代片１４とは反対側の面に接合され、もう一方の分離面板２５にあっても、中央が下位置となるように両側が折り起こされるとともに、その両側の先端部２７それぞれが折り曲げられながら天面板３の短辺側の折り部４に沿った位置に接合される。
上記分離面板２５は、図７に示すように天面板３の短辺側の折り部４を介して連続する側面板５と副ブランクＢの側面板１３との間に位置しており、この分離面版２５の中央部分が側面板５と側面板１３とに当接して側面板５の倒れ込みを抑える倒れ込み防止手段２８を構成している。
【００１８】
また、上記折り起こし片２４それぞれの基端部分には側方に張り出し片２９を延設していて、張り出し方向に沿った中央位置を折り位置として折り起こし片２４の折り起こしとともに折り曲げられるようにしており、図８に示すように断面略Ｌ字状に折り曲げられた状態の張り出し片２９の先端が側面板５に当接している。
この張り出し片２９は、図示されているように上記上底面板２１の高さ位置から長尺側の側面板５それぞれの方向に向けて一対にして張り出したものであり、さらに上記天面板３下の空間においてその天面板３から下方にに離間した位置にある。
このように収納凹部２３を間にして天面板３下の空間（側面板５と側面板１２との間）それぞれにおいて一対の張り出し２９が位置していることから、複数の板紙製緩衝体１をスタッキングするに際して、上位の板紙製緩衝体１の天面板３下の空間に下位の板紙製緩衝体１の天面板３の部分が入り込んだとしても、前記張り出し片２９にその下位の歌紙製緩衝体１の天面板３の部分が当接するようになり、張り出し片２９が食い込み防止手段３０として下位の板紙製緩衝体１の深い食い込みを生じさせないようにしている。なお、この張り出し片２９は、張り出し方向に沿った位置を折り位置として折り曲げているので（図６参照）、張り出し片２９自体の強度も高くなっており、下位の緩衝体からの食い込み方向の力を確実に受け止める。
よって、数多くの板紙製緩衝体１をスタッキングしても重なり合う上下の緩衝体相互は簡単に分けることができ、梱包ラインなどにおいてスタッキングされた緩衝体を最上位または最下位のものから一個ずつ確実に取り出せるようになる。
【００１９】
一方、この張り出し片２９の先端部分が側面板５に当接していることから側面板５の倒れ込み防止手段２８の役割も果たす。即ち、側面板５を収納凹部側に押すような力が加わってもこの張り出し片２９で側面板５を支えてその側面板５の倒れ込みを防止することになる。そして、張り出し片２９が上述したように張り出し方向に沿った位置を折り位置として折り曲げているので、側面板５の力を受ける方向に対して直交する面での断面形状が略Ｌ字状となり、倒れ込み防止手段２８としての強度も高くな確実に側面板５を支える。
【００２０】
副ブランクＣには、上底面板２１の上記折り起こし片１０の先端が重なる位置、折り倒し片２２の先端で底面板１１の裏面に折り重ねられる位置、折り起こし片４の先端部２６、分離面板２５の先端部２７にそれぞれ接着剤９が予め塗布されていて、これらの接着剤９が塗布された部分が、プレス加工時に対向部位に貼り合わされる。なお、図１において前記先端部２６の貼り合わせ位置を２６ａとして示した。
【００２１】
【発明の効果】
以上説明したように、本発明によれば、緩衝体天面となる天面板に収納物品に対応した開口を有するとともに前記天面板の周囲の側面板を折り倒して裾広がり状に傾斜した緩衝体外周面を形成する主ブランクの前記開口に、底面板とこの底面板の周囲に位置した側面板とからなる収納凹部を形成する複数の副ブランクを組み付けて、該開口に、天面板裏面方向に凹陥して底面板側が狭くなるように傾斜した凹部内周面を備える収納凹部を設け、天面板下の空間に下位緩衝体の天面板側が入るようにスタッキング可能にした板紙製緩衝体において、前記緩衝体外周面の側面板と収納凹部の側面板との間に、前記天面板から下方に離間した位置にしてスタッキング時の下位緩衝体の天面板を受けて下位緩衝体の食い込みを防止する食い込み防止手段を配置したことを特徴とするものである。
このように天面板下にスタッキング時の食い込み防止手段を備えていることから、多くの板紙製緩衝体を積み重ねたとしても上下に重なり合う緩衝体相互が食い込み合わないようになり、積み重ね状態にある緩衝体を一台ずつ取り出して梱包作業が適切に行なえるようになど、実用性に優れた効果を奏するものである。
【図面の簡単な説明】
【図１】本発明に係る板紙製緩衝体の一例を示す説明図である。
【図２】副ブランクを展開状態で示す説明図である。
【図３】主ブランクを展開状態で示す説明図である。
【図４】もう一方の副ブランクを展開状態で示す説明図である。
【図５】三枚のブランクの重ね合わせを分離した状態で示す説明図である。
【図６】組み起こしされた三枚のブランクを分離状態で示す説明図である。
【図７】分離面板による倒れ込み防止手段を示す説明図である。
【図８】一例における天面板短辺方向に沿った断面を示す説明図である。
【図９】従来例を示す説明図である。
【図１０】緩衝体外周面と凹部内周面を傾斜させた従来例を示す説明図である。
【図１１】緩衝体外周面と凹部内周面を傾斜させた従来例を断面で示す説明図である。
【符号の説明】
１…板紙製緩衝体
３…天面板
５…側面板
７…緩衝体外周面
８…開口
１０…折り起こし片
１１…底面板
１２、１３…側面板
１９…凹部内周面
２３…収納凹部
２９…張り出し片
３０…食い込み防止手段
【図１】
0004780748.tif 000002
【図２】
0004780748.tif 000003
【図３】
0004780748.tif 000004
【図４】
0004780748.tif 000005
【図５】
0004780748.tif 000006
【図６】
0004780748.tif 000007
【図７】
0004780748.tif 000008
【図８】
0004780748.tif 000009
【図９】
0004780748.tif 000010
【図１０】
0004780748.tif 000011
【図１１】
0004780748.tif 000012